Podtech/llm-jp-corpus-v4-ja_patent huggingface dataset:
【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
（ａ）アルブミン結合ペプチドと、
（ｂ）免疫調節分子と、
を含む、結合体であって、
前記アルブミン結合ペプチドが、リンカードメインを伴ってまたは伴わずに、前記免疫調節分子に作動可能に結合されている、結合体。
【請求項２】
前記アルブミン結合ペプチドが前記免疫調節分子に共有結合されている、請求項１に記載の結合体。
【請求項３】
前記アルブミン結合ペプチドが、リンカードメインを介して、前記免疫調節分子に作動可能に結合されている、請求項１に記載の結合体。
【請求項４】
前記リンカードメインが、Ｇｌｙ−Ｓｅｒリンカー又はポリエチレングリコール（ＰＥＧ）リンカーを含む、請求項３に記載の結合体。
【請求項５】
前記Ｇｌｙ−Ｓｅｒリンカーが（Ｇｌｙ４Ｓｅｒ）ｎリンカーである、請求項４に記載の結合体。
【請求項６】
前記ＰＥＧリンカーがＰＥＧ２０００リンカーである、請求項４に記載の結合体。
【請求項７】
前記免疫調節分子がペプチド抗原又は分子アジュバントである、請求項１に記載の結合体。
【請求項８】
前記ペプチド抗原ががん抗原である、請求項７に記載の結合体。
【請求項９】
前記ペプチド抗原が黒色腫抗原である、請求項７に記載の結合体。
【請求項１０】
前記分子アジュバントがＣｐＧ  ＤＮＡである、請求項７に記載の結合体。
【請求項１１】
前記アルブミン結合ペプチドがアミノ酸配列ＤＩＣＬＰＲＷＧＣＬＷを含む、請求項１に記載の結合体。
【請求項１２】
請求項１〜１１のいずれかに記載の結合体と薬学的に許容され得る担体又は賦形剤とを含むワクチン。
【請求項１３】
アジュバントをさらに含む、請求項１２に記載のワクチン。
【請求項１４】
免疫調節分子をリンパ系に向かわせるための組成物であって、前記組成物は、以下：
（ａ）アルブミン結合ペプチドと、
（ｂ）免疫調節分子と、
を含む結合体を含み、
前記アルブミン結合ペプチドは、リンカードメインを伴ってまたは伴わずに、前記免疫調節分子に作動可能に結合されている、組成物。
【請求項１５】
前記結合体が、抗原単独の投与と比べて、インビボで被験体に投与されたときに、リンパ節中で増加した蓄積を示す、請求項１４に記載の組成物。
【請求項１６】
請求項１に記載の結合体を含む免疫原性組成物。
【請求項１７】
請求項１２に記載のワクチンを含む免疫原性組成物。
【請求項１８】
がん又は感染性疾患を処置するための請求項１４〜１７のいずれかに記載の組成物であって、前記組成物は、対照と比べて前記がん又は前記感染性疾患の１つ又はそれより多くの症状を低減するように被験体に投与されることを特徴とする、組成物。
【請求項１９】
被験体中の免疫応答を増加させるための請求項１４〜１７のいずれかに記載の組成物。
【請求項２０】
前記被験体ががん又は感染性疾患を有する、請求項１９に記載の組成物。
【請求項２１】
請求項１に記載の結合体をコードする核酸分子。
【請求項２２】
請求項２１に記載の核酸分子を含む組換え発現ベクター。
【請求項２３】
請求項２２に記載の組換え発現ベクターを用いて形質転換された宿主細胞。
【請求項２４】
請求項１に記載の結合体を作製する方法であって、前記結合体をコードする核酸配列を含む宿主細胞を提供すること、及び前記結合体が発現される条件下に前記宿主細胞を維持することを含む、方法。
【手続補正２】
【補正対象書類名】明細書
【補正対象項目名】０２５２
【補正方法】変更
【補正の内容】
【０２５２】
均等物
当業者は、慣用的な実験作業のみを用いて、本明細書に記載された具体的な実施形態の多くの均等物を認識し、又は確かめることができるであろう。このような均等物は、以下の特許請求の範囲によって包含されることが意図される。
本発明は、例えば、以下の項目を提供する。
(項目１)
（ａ）アルブミン結合ペプチドと、
（ｂ）免疫調節分子と、
を含む、結合体であって、
前記アルブミン結合ペプチドが、リンカードメインを伴ってまたは伴わずに、前記免疫調節分子に作動可能に結合されている、結合体。
(項目２)
前記アルブミン結合ペプチドが前記免疫調節分子に共有結合されている、項目１に記載の結合体。
(項目３)
前記アルブミン結合ペプチドが、リンカードメインを介して、前記免疫調節分子に作動可能に結合されている、項目１に記載の結合体。
(項目４)
前記リンカードメインが、Ｇｌｙ−Ｓｅｒリンカー又はポリエチレングリコール（ＰＥＧ）リンカーを含む、項目３に記載の結合体。
(項目５)
前記Ｇｌｙ−Ｓｅｒリンカーが（Ｇｌｙ４Ｓｅｒ）ｎリンカーである、項目４に記載の結合体。
(項目６)
前記ＰＥＧリンカーがＰＥＧ２０００リンカーである、項目４に記載の結合体。
(項目７)
前記免疫調節分子がペプチド抗原又は分子アジュバントである、項目１に記載の結合体。
(項目８)
前記ペプチド抗原ががん抗原である、項目７に記載の結合体。
(項目９)
前記ペプチド抗原が黒色腫抗原である、項目７に記載の結合体。
(項目１０)
前記分子アジュバントがＣｐＧ  ＤＮＡである、項目７に記載の結合体。
(項目１１)
前記アルブミン結合ペプチドがアミノ酸配列ＤＩＣＬＰＲＷＧＣＬＷを含む、項目１に記載の結合体。
(項目１２)
上記項目のいずれかに記載の結合体と薬学的に許容され得る担体又は賦形剤とを含むワクチン。
(項目１３)
アジュバントをさらに含む、項目１２に記載のワクチン。
(項目１４)
免疫調節分子をリンパ系に向かわせるための組成物であって、前記組成物は、以下：
（ａ）アルブミン結合ペプチドと、
（ｂ）免疫調節分子と、
を含む結合体を含み、
前記アルブミン結合ペプチドは、リンカードメインを伴ってまたは伴わずに、前記免疫調節分子に作動可能に結合されている、組成物。
(項目１５)
前記結合体が、抗原単独の投与と比べて、インビボで被験体に投与されたときに、リンパ節中で増加した蓄積を示す、項目１４に記載の組成物。
(項目１６)
項目１に記載の結合体を含む免疫原性組成物。
(項目１７)
項目１２に記載のワクチンを含む免疫原性組成物。
(項目１８)
がん又は感染性疾患を処置するための方法であって、対照と比べて前記がん又は前記感染性疾患の１つ又はそれを超える症状を低減するのに有効な量の項目１４〜１７のいずれかに記載の組成物を被験体に投与することを含む、方法。
(項目１９)
被験体中の免疫応答を増加させるための方法であって、前記被験体中の免疫応答を増加させるのに有効な量の項目１４〜１７のいずれかに記載の組成物を前記被験体に投与することを含む、方法。
(項目２０)
前記被験体ががん又は感染性疾患を有する、項目１９に記載の方法。
(項目２１)
項目１に記載の結合体をコードする核酸分子。
(項目２２)
項目２１に記載の核酸分子を含む組換え発現ベクター。
(項目２３)
項目２２に記載の組換え発現ベクターを用いて形質転換された宿主細胞。
(項目２４)
項目１に記載の結合体を作製する方法であって、前記結合体をコードする核酸配列を含む宿主細胞を提供すること、及び前記結合体が発現される条件下に前記宿主細胞を維持することを含む、方法。
【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
結晶形態のカルベトシン。
【請求項２】
溶媒和結晶形態のカルベトシン。
【請求項３】
脱溶媒和結晶形態のカルベトシン。
【請求項４】
約４．８３、７．４３、９．２０、１７．８７、１９．６０、２０．４３および２１．３４度の２θ（Ｃｕ−Ｋ）におけるＸ線粉末回折ピークによって特徴づけられる、請求項１または請求項２に記載のカルベトシン。
【請求項５】
図１に例示されているＸ線粉末回折パターンによって実質的に特徴づけられる、請求項１、２または４のいずれか一項に記載のカルベトシン。
【請求項６】
約４．１１、４．３９、５．６０、７．４５、１７．７５、１９．１６および１９．４５度の２θ（Ｃｕ−Ｋ）におけるＸ線粉末回折ピークによって特徴づけられる、請求項１または請求項３に記載のカルベトシン。
【請求項７】
図２に例示されているＸ線粉末回折パターンによって実質的に特徴づけられる、請求項１、３および６のいずれか一項に記載のカルベトシン。
【請求項８】
約４．３４、６．４３、８．６６、１７．３７、１９．０３、および１９．３９度の２θ（Ｃｕ−Ｋα１）におけるＸ線粉末回折ピークによって特徴づけられる、請求項１、２または３のいずれか一項に記載のカルベトシン。
【請求項９】
結晶形態のカルベトシンを製造する方法であって、カルベトシンを結晶化させるステップを含む、方法。
【請求項１０】
（ａ）結晶形態のカルベトシンが、カルベトシンおよび１種または複数の液体を含む混合物から結晶化され、１種または複数の液体が、任意選択で、エチレングリコール、アセトニトリル、エタノール、メタノール、プロパノール、イソプロパノール、１，２−プロパンジオールおよびジメチルホルムアミドからなる群の１種または複数、例えばエチレングリコールとアセトニトリルの混合物、例えばエタノール、エチレングリコールおよびアセトニトリルの混合物を含む、および／または任意に
結晶形態のカルベトシンが、カルベトシンおよび１種もしくは複数の液体を含む混合物を、例えば４０℃〜５℃に冷却することによって、またはカルベトシンおよび１種もしくは複数の液体を含む混合物の温度を、例えば４０℃から５℃に、および５℃から４０℃にサイクルさせることによって得られる、および／または任意に
１種または複数の液体が、エチレングリコールおよびアセトニトリルを１：９９〜５０：５０の比、例えば２：９８〜４０：６０の比、例えば３：９７〜３５：６５の比、例えば５：９５〜３５：６５の比、例えば８：９２〜３０：７０の比、例えば１０：９０〜３０：７０の比、例えば１５：８５〜２５：７５の比、例えば１７．５：８２．５〜２２．５：７７．５の比、例えば約２０：８０の比で含む、および／または任意に
貧溶媒をカルベトシンおよび１種または複数の液体を含む混合物に加えるさらなるステップを含み、貧溶媒がアセトニトリルであってもよい、および／または任意におよび／または任意に
１種または複数の液体が、エチレングリコールとアセトニトリルの混合物を含み、貧溶媒がアセトニトリルを含む、および／または任意に
１種または複数の液体が、エチレングリコールおよびアセトニトリルを１５：８５〜２５：７５の比、例えば１７．５：８２．５〜２２．５：７７．５の比、例えば約２０：８０の比で含み、ここでアセトニトリル貧溶媒を加えると、エチレングリコール対アセトニトリルの比が、１：９９〜３０：７０の比、例えば２：９８〜２５：７５の比、例えば３：９７〜２０：８０の比、例えば５：９５〜２０：８０の比、例えば５：９５〜１５：８５の比、例えば７．５：９２．５〜１２．５：８７．５の比、例えば約１０：９０の比に変わる、あるいは
（ｂ）結晶形態のカルベトシンが、カルベトシンおよび１種または複数の液体を含む混合物から結晶化され、１種または複数の液体が、水および水性酢酸緩衝液の一方または両方を含み、任意に
結晶形態のカルベトシンが、カルベトシンおよび１種または複数の液体を含む混合物を、カルベトシンを結晶化させるために、３〜１００日、例えば３〜６０日、例えば７〜１２日間、少なくとも１５℃、例えば２０℃、例えば３０℃、例えば４０℃の温度に維持することによって得られる、請求項９に記載の方法。
【請求項１１】
カルベトシンおよび１種または複数の液体を含む混合物に結晶、例えばカルベトシン結晶をシード添加するさらなるステップを含み、任意に
結晶形態のカルベトシンを脱溶媒するさらなるステップを含み、カルベトシンを乾燥させてもよく、任意に
結晶形態のカルベトシンの脱溶媒が、結晶形態のカルベトシンを貧溶媒、例えばアセトニトリル中で洗浄することによって実施され、当該脱溶媒が、２０℃以下、例えば−３０℃〜２０℃、例えば−２０℃〜２０℃、例えば−１０℃〜２０℃、例えば−５℃〜１５℃、例えば０℃〜１０℃、例えば約５℃の温度で実施されてもよい、請求項９または１０に記載の方法。
【請求項１２】
請求項１から８のいずれかに記載のカルベトシンまたは請求項９から１１のいずれかに記載の方法に従って作製されたカルベトシンを含む医薬組成物。
【請求項１３】
医薬品として使用するための、請求項１２に記載の医薬組成物。
【請求項１４】
神経障害または生殖障害の治療に使用するため、例えばプラーダー−ヴィリ症候群の治療に使用するため；あるいは例えば乳児の経腟分娩、帝王切開による乳児の分娩後の例えば子宮弛緩症の治療または予防に使用するため；あるいは分娩後出血（ＰＰＨ）を発症する危険性がある患者の子宮弛緩症の治療または予防に使用するため；および／または経腟分娩後の過度の出血の治療または予防に使用するための、請求項１２に記載の医薬組成物。
【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
網膜における桿体遺伝子の発現を減少させるための方法において使用するための、式（Ｉ）：
【化１】
2020530459.tif 000001
の化合物または製薬学的に許容されるその塩であって、前記方法は網膜を前記化合物と接触させる工程を含む。
【請求項２】
前記桿体遺伝子はＮｒｌ、Ｎｒ２ｅ３、Ｒｈｏ、およびＧｎａｔ１からなる群より選択される、請求項１に記載の使用のための式（Ｉ）の化合物。
【請求項３】
網膜を接触させる前記工程は、全身投与または硝子体内注射を含む、請求項１に記載の使用のための式（Ｉ）の化合物。
【請求項４】
前記網膜は、人間である対象の網膜である、請求項１に記載の使用のための式（Ｉ）の化合物。
【請求項５】
網膜における桿体遺伝子の発現を減少させることにより処置可能な疾患または状態を処置するための方法において使用するための、治療的有効量の式（Ｉ）：
【化２】
2020530459.tif 000002
の化合物または製薬学的に許容されるその塩。
【請求項６】
前記疾患または状態は、網膜色素変性、網膜変性、黄斑変性、加齢黄斑変性、スタルガルト型黄斑ジストロフィ（Ｓｔａｒｇａｒｄｔ’ｓ  ｍａｃｕｌａｒ  ｄｙｓｔｒｏｐｈｙ）、網膜ジストロフィ、ソースビー型眼底ジストロフィ（Ｓｏｒｓｂｙ’ｓ  ｆｕｎｄｕｓ  ｄｙｓｔｒｏｐｈｙ）、糖尿病性網膜症、糖尿病性黄斑症、未熟児網膜症、および虚血再灌流関連網膜損傷からなる群より選択される、請求項５に記載の使用のための治療的有効量の式（Ｉ）の化合物。
【請求項７】
前記網膜の疾患は網膜色素変性である、請求項５に記載の使用のための治療的有効量の式（Ｉ）の化合物。
【請求項８】
前記化合物を投与する工程は、全身投与または硝子体内注射を含む、請求項５に記載の使用のための治療的有効量の式（Ｉ）の化合物。
【請求項９】
前記対象は人間である、請求項５に記載の使用のための治療的有効量の式（Ｉ）の化合物。
【請求項１０】
網膜におけるロドプシンの発現を減少させるための方法において使用するための、式（Ｉ）：
【化３】
2020530459.tif 000003
の化合物または製薬学的に許容されるその塩。
【請求項１１】
前記網膜は、人間である対象の網膜である、請求項１０に記載の使用のための式（Ｉ）の化合物。
【請求項１２】
対象における網膜の疾患を処置する方法において使用するための、治療的有効量の式（Ｉ）：
【化４】
2020530459.tif 000004
の化合物または製薬学的に許容されるその塩。
【請求項１３】
前記網膜の疾患は、網膜色素変性、網膜変性、黄斑変性、加齢黄斑変性、スタルガルト型黄斑ジストロフィ、網膜ジストロフィ、ソースビー型眼底ジストロフィ、糖尿病性網膜症、糖尿病性黄斑症、未熟児網膜症、および虚血再灌流関連網膜損傷からなる群より選択される、請求項１２に記載の使用のための式（Ｉ）の化合物。
【請求項１４】
前記網膜の疾患は網膜色素変性である、請求項１２に記載の使用のための式（Ｉ）の化合物。
【請求項１５】
前記対象は人間である、または、前記化合物が全身投与もしくは硝子体内注射によって投与される、請求項１２に記載の使用のための式（Ｉ）の化合物。
【手続補正書】
【提出日】令和3年4月21日(2021.4.21)
【手続補正１】
【補正対象書類名】特許請求の範囲
【補正対象項目名】全文
【補正方法】変更
【補正の内容】
【特許請求の範囲】
【請求項１】
空間におけるオブジェクトの位置を測定するための干渉計システムであって、
空間における前記オブジェクトに向けられた発散する光錐として成形される検査波面を放出するように構成される干渉測定モジュールと、
ブルズアイインターフェログラムが生成されて検出器により検出されるように、前記光錐内に配置される湾曲した反射面と、
前記検出器により検出される前記ブルズアイインターフェログラムに基づいて、前記反射面の位置測定値を生成するようにプログラムされるプロセッサと、
前記ブルズアイインターフェログラムを前記測定モジュールの照明軸と位置合わせするように適合化される補正モジュールであって、干渉ビームの経路に挿入された補正モジュールと、を備え、
前記反射面は、空間における前記オブジェクトと点接触しているプローブへ取り付けられる、干渉計システム。
【請求項２】
前記補正モジュールは、前記ブルズアイインターフェログラムから信号を受信する複数の検出器エレメントを有するセンサを含み、かつ前記プロセッサは、さらに、前記ブルズアイインターフェログラムの中心が前記照明軸上にあるときに前記検出器エレメントにブルズアイパターンを検出させるべく前記補正モジュールを駆動するようにプログラムされる、請求項１に記載の干渉計システム。
【請求項３】
前記複数の検出器エレメントは、中央検出器の周りに対称的に配置される４つの衛星検出器を含む、請求項２に記載の干渉計システム。
【請求項４】
前記反射面は、球面である、請求項１に記載の干渉計システム。
【請求項５】
前記反射面は、前記プローブのチップである、請求項１に記載の干渉計システム。
【請求項６】
前記反射面は、球面である、請求項５に記載の干渉計システム。
【請求項７】
座標測定機（ＣＭＭ）であって、
発散する光錐として成形される個々の検査波面を放射するように構成される少なくとも３つの干渉測定モジュールと、
個々のブルズアイインターフェログラムが生成されて個々の検出器により検出されるように、前記光錐内に配置される湾曲した反射面と、
前記検出器により記録される前記ブルズアイインターフェログラムに基づいて、前記反射面の３次元位置測定値を生成するようにプログラムされるプロセッサと、
前記ブルズアイインターフェログラムを前記測定モジュールの個々の照明軸と位置合わせするように適合化される補正モジュールであって、干渉ビームの経路に挿入された補正モジュールと、を備え、
前記反射面は、前記ＣＭＭのプローブへ取り付けられ、かつ前記プローブは、測定されるオブジェクトと点接触して３次元的に動作するように適合化される、座標測定機（ＣＭＭ）。
【請求項８】
前記補正モジュールは、前記ブルズアイインターフェログラムから個々の信号を受信する複数の検出器エレメントを有する個々のセンサを含み、かつ前記プロセッサは、さらに、前記ブルズアイインターフェログラムの中心が前記測定モジュールの個々の照明軸上にあるときに前記検出器エレメントにブルズアイパターンを検出させるべく前記補正モジュールの各々を駆動するようにプログラムされる、請求項７に記載の座標測定機（ＣＭＭ）。
【請求項９】
前記複数の検出器エレメントの各々は、中央検出器の周りに対称的に配置される４つの衛星検出器を含む、請求項８に記載の座標測定機（ＣＭＭ）。
【請求項１０】
前記反射面は球面である、請求項７に記載の座標測定機（ＣＭＭ）。
【請求項１１】
前記反射面は、前記プローブのチップである、請求項７に記載の座標測定機（ＣＭＭ）。
【請求項１２】
空間におけるオブジェクトの位置を測定するための干渉方法であって、
空間における前記オブジェクトに向けられた発散する光錐として成形される検査波面を生成するステップと、
ブルズアイインターフェログラムが生成されて検出器により検出されるように、前記光錐内に、プローブへ連結される湾曲した反射面を配置するステップと、
前記オブジェクトを前記プローブに接触させるステップと、
干渉ビームの経路に挿入された補正モジュールにより前記ブルズアイインターフェログラムを測定モジュールの照明軸と位置合わせするステップと、
前記検出器により検出される前記ブルズアイインターフェログラムの干渉分析に基づいて、前記反射面の位置測定値を生成するステップと、を備える干渉方法。
【請求項１３】
前記位置合わせするステップは、前記ブルズアイインターフェログラムから信号を受信する複数の検出器エレメントを有するセンサを用いて、かつ前記検出器エレメントが、前記照明軸上に中心をつけられる前記ブルズアイインターフェログラムに対応する干渉パターンを記録するように前記ブルズアイインターフェログラムの伝播方向を変更することによって実行される、請求項１２に記載の干渉方法。
【請求項１４】
前記複数の検出器エレメントは、中央検出器の周りに対称的に配置される４つの衛星検出器を含む、請求項１３に記載の干渉方法。
【請求項１５】
前記反射面は、球面である、請求項１２に記載の干渉方法。
【請求項１６】
前記反射面は、前記オブジェクトに接触するプローブである、請求項１２に記載の干渉方法。
【請求項１７】
前記反射面は、球面である、請求項１６に記載の干渉方法。
【手続補正書】
【提出日】令和3年8月4日(2021.8.4)
【手続補正１】
【補正対象書類名】特許請求の範囲
【補正対象項目名】全文
【補正方法】変更
【補正の内容】
【特許請求の範囲】
【請求項１】
対象の初期心不全を検出するための、又は心不全を発症するリスクが高い対象を検出するためのデータを取得する方法であって、
該対象から得られた生物学的サンプルを分析し、該サンプル中の少なくとも１つのバイオマーカーの濃度を測定し、そして、該少なくとも１つのバイオマーカーの濃度がその少なくとも１つのバイオマーカーの所定の基準濃度より高いかまたは低い場合に、対象に対して心不全分類を割り当てること、を含み、
ここで前記少なくとも１つのバイオマーカーがＳ１０Ａ７であり、ここで前記生物学的サンプルが、前記対象の口腔から得られる、方法。
【請求項２】
前記少なくとも１つのバイオマーカーの所定の基準濃度が、健常者の口腔から採取された生物学的サンプルから決定される、請求項１に記載の方法。
【請求項３】
対象の初期心不全を検出するための、又は心不全を発症するリスクが高い対象を検出するためのデータを取得する方法であって、
該対象から得られた生物学的サンプルを分析し、該サンプル中の少なくとも１つのバイオマーカーの濃度を測定し、健常者から得られた生物学的サンプル中の少なくとも１つのバイオマーカーの濃度を測定し、そして、対象からのサンプル中の少なくとも１つのバイオマーカーの濃度が健常者から得られた生物学的サンプル中の少なくとも１つのバイオマーカーの濃度より高いかまたは低い場合に、対象に対して心不全分類を割り当てること、を含み、
ここで前記少なくとも１つのバイオマーカーがＳ１０Ａ７であり、ここでそれぞれの前記生物学的サンプルが、前記対象の口腔から得られる、方法。
【請求項４】
対象の初期心不全をスクリーニングするための、又は心不全を発症するリスクが高い対象をスクリーニングするためのデータを取得する方法であって、
該対象から得られた生物学的サンプルを分析し、該サンプル中の少なくとも１つのバイオマーカーの濃度を測定し、そして、該少なくとも１つのバイオマーカーの濃度が、その少なくとも１つのバイオマーカーの所定の基準濃度より高いかまたは低い場合に、対象に対して心不全分類を割り当てること、を含み、
ここで前記少なくとも１つのバイオマーカーがＳ１０Ａ７であり、ここで前記生物学的サンプルが、前記対象の口腔から得られる、方法。
【請求項５】
前記少なくとも１つのバイオマーカーが、Ｓ１０Ａ７と、バイオマーカータンパク質：ＫＬＫ１、ＴＣＰＤ、ＤＬＤＨ、ＩＧＨＡ２、ＣＡＭＰ、ＫＶ１１０、ＮＡＭＰＴ、ＣＯＰＢ、ＳＰＲ２ＡおよびＨＶ３１１の１又は複数とを含む、請求項１〜４のいずれか一項に記載の方法。
【請求項６】
前記少なくとも１つのバイオマーカーが、３つ、４つ、５つまたは６つの前記バイオマーカータンパク質を含む、請求項５に記載の方法。
【請求項７】
前記少なくとも１つのバイオマーカーが、Ｓ１０Ａ７と、ＫＬＫ１およびＣＡＭＰの１又は複数とを含むバイオマーカーパネルを含む、請求項６に記載の方法。
【請求項８】
前記バイオマーカーパネルが、ＫＬＫ１、Ｓ１０Ａ７およびＣＡＭＰを含む、請求項７に記載の方法。
【請求項９】
前記生物学的サンプルが、痰または唾液である、請求項１〜８のいずれか一項に記載の方法。
【請求項１０】
前記生物学的サンプルが唾液である、請求項９に記載の方法。
【請求項１１】
対象の口腔から得られる生物学的サンプルにおいて、初期心不全又は心不全を発症するリスクが高いことに関係する少なくとも１つのバイオマーカーの存在を検出するためのキットであって、少なくとも１つのバイオマーカーに特異的に結合する少なくとも１つの分子がその上に固定された固体支持体を含み、ここで前記少なくとも１つのバイオマーカーがＳ１０Ａ７である、キット。
【請求項１２】
前記少なくとも１つのバイオマーカーが、Ｓ１０Ａ７と、バイオマーカータンパク質：ＫＬＫ１、ＴＣＰＤ、ＤＬＤＨ、ＩＧＨＡ２、ＣＡＭＰ、ＫＶ１１０、ＮＡＭＰＴ、ＣＯＰＢ、ＳＰＲ２ＡおよびＨＶ３１１の１又は複数とを含む、請求項１１に記載のキット。
【請求項１３】
前記少なくとも１つのバイオマーカーが、３つ、４つ、５つまたは６つの前記バイオマーカータンパク質を含む、請求項１２に記載のキット。
【請求項１４】
前記少なくとも１つのバイオマーカーが、Ｓ１０Ａ７と、ＫＬＫ１およびＣＡＭＰの１又は複数とを含むバイオマーカーパネルを含む、請求項１３に記載のキット。
【請求項１５】
前記バイオマーカーパネルが、ＫＬＫ１、Ｓ１０Ａ７およびＣＡＭＰを含む、請求項１４に記載のキット。
【請求項１６】
前記生物学的サンプルが、痰または唾液である、請求項１１〜１５のいずれか一項に記載のキット。
【請求項１７】
前記生物学的サンプルが唾液である、請求項１６に記載のキット。
【請求項１８】
前記少なくとも１つのバイオマーカーに特異的に結合する少なくとも１つの分子が、該少なくとも１つのバイオマーカーに特異的に結合する抗体である、請求項１１〜１７のいずれか一項に記載のキット。
【請求項１９】
前記心不全が拡張期心不全である、請求項１〜１０のいずれか一項に記載の方法、または請求項１１〜１８のいずれか一項に記載のキット。
【請求項２０】
前記心不全が収縮期心不全である、請求項１〜１０のいずれか一項に記載の方法、または請求項１１〜１８のいずれか一項に記載のキット。
【手続補正書】
【提出日】令和3年7月9日(2021.7.9)
【手続補正１】
【補正対象書類名】特許請求の範囲
【補正対象項目名】全文
【補正方法】変更
【補正の内容】
【特許請求の範囲】
【請求項１】
実空間のエリア内における変化を追跡する方法であって、
各カメラの視野が少なくとも１つの他のカメラの視野と重なり合う複数のカメラを使用して、前記実空間内の対応する視野のそれぞれの画像シーケンスを生成すること、
被写体画像認識エンジンを含む、第１画像プロセッサを使用して、画像を処理して、対応する画像シーケンス内の前記画像に表される被写体を識別すること、
背景画像認識エンジンを含む、第２画像プロセッサを使用して、前記画像シーケンス内の画像内の識別された被写体をマスクしてマスクされた画像を生成し、前記マスクされた画像を処理して、前記対応する画像シーケンス内の前記画像に表される背景変化を識別し且つ分類すること、を備えることを特徴とする方法。
【請求項２】
前記背景画像認識エンジンが、畳み込みニューラル・ネットワークを含む請求項１に記載の方法。
【請求項３】
識別された背景変化を識別された被写体に関連付けることを含む請求項１または２に記載の方法。
【請求項４】
前記第２画像プロセッサを使用することが、
対応する画像シーケンスの背景画像を格納することと、
画像シーケンス内の画像を処理し、前記マスクされた画像を提供するために、前記識別された被写体を表す前景画像データを、前記対応する画像シーケンスの前記背景画像からの背景画像データで置き換えること、を含む請求項１〜３のいずれか１項に記載の方法。
【請求項５】
前記画像シーケンス内の画像を処理することが、
前記画像シーケンス内のＮ個のマスクされた画像のセットを組み合わせて、各カメラのファクタ化画像のシーケンスを生成することと、
前記第２の画像プロセッサが、前記ファクタ化画像のシーケンスを処理することによって、背景変化を識別し且つ分類すること、を含む請求項１〜４のいずれか１項に記載の方法。
【請求項６】
前記第２の画像プロセッサを使用することが、
前記対応する画像シーケンスのための変化データ構造を生成することと、
重なり合う視野を有するカメラのセットからの変化データ構造を処理して、実空間内での前記識別された背景変化の位置を見つけることを、を含み、
前記変化データ構造が、識別された背景変化の前記マスクされた画像内の座標、前記識別された背景変化の在庫商品被写体の識別子、及び、前記識別された背景変化の分類を含む請求項１〜５のいずれか１項に記載の方法。
【請求項７】
前記変化データ構造における識別された背景変化の前記分類が、識別された在庫商品が前記背景画像に対して追加されたか除去されたかを示す請求項６に記載の方法。
【請求項８】
前記変化データ構造における識別された背景変化の前記分類が、識別された在庫商品が前記背景画像に対して追加されたか除去されたかを示し、
背景変化を識別された被写体に関連付け、前記識別された被写体による在庫商品を取ること、及び前記識別された被写体による在庫商品を棚に置くことの検出を行うことを含む請求項６に記載の方法。
【請求項９】
背景変化を識別された被写体に関連付け、前記識別された被写体による在庫商品を取ること、及び前記識別された被写体による在庫商品を棚に置くことの検出を行うことを含む請求項１〜８のいずれか１項に記載の方法。
【請求項１０】
前記第１の画像プロセッサを使用することが、識別された被写体の手の位置を識別することを含み、
前記変化の前記位置を前記識別された被写体の手の位置と比較して背景変化を識別された被写体と関連付け、前記識別された被写体による在庫商品を取ること、及び前記識別された被写体による在庫商品を棚に置くことの検出を行うことを含む請求項１〜９のいずれか１項に記載の方法。
【請求項１１】
前景画像認識エンジンを含む、第３の画像プロセッサを使用し、前記複数のカメラから対応する画像シーケンスを受信し、画像を処理して、前記対応する画像シーケンス内の前記画像に表される前景変化を識別し且つ分類することを含む請求項１〜１０のいずれか１項に記載の方法。
【請求項１２】
背景変化を識別された被写体と関連付け、前記識別された被写体による在庫商品を取ることと、前記識別された被写体による在庫商品を棚に置くことの第１の検出セットを作成すること、
前景変化を識別された被写体と関連付け、前記識別された被写体による在庫商品を取ることと、前記識別された被写体による在庫商品を棚に置くことの第２の検出セットを作成すること、及び、
前記第１及び第２の検出セットを処理し、識別された被写体に関する在庫商品のリストを含むログ・データ構造を生成することを含む請求項１〜１１のいずれか１項に記載の方法。
【請求項１３】
前記複数のカメラにおいて、カメラからの前記画像シーケンスが同期されている請求項１〜１２のいずれか１項に記載の方法。
【請求項１４】
メモリに接続された１以上のプロセッサを含むシステムであって、
前記メモリに、請求項１〜１３のいずれか１項に係る実空間のエリア内における変化を追跡する方法のためのコンピュータ命令がロードされていることを特徴とするシステム。
【請求項１５】
非一時的なコンピュータ可読記憶媒体であって、
請求項１〜１３のいずれか１項に係る実空間のエリア内における変化を追跡する方法のためのコンピュータ命令が格納されていることを特徴とする非一時的なコンピュータ可読記憶媒体。
【手続補正２】
【補正対象書類名】明細書
【補正対象項目名】０２２３
【補正方法】変更
【補正の内容】
【０２２３】
被写体識別サブシステム２６０２（第１の画像プロセッサとも呼ばれる）は、複数のカメラ１１４から対応する画像シーケンスを受信する被写体画像認識エンジンを含む。被写体画像認識エンジンは、画像を処理して、対応する画像シーケンス内の画像に表される被写体を識別する。一実施形態では、被写体画像認識エンジンが関節ＣＮＮ１１２ａ〜１１２ｎと呼ばれる畳み込みニューラル・ネットワーク（ＣＮＮ）として実装される。重なり合う視野を有するカメラに対応する関節ＣＮＮ１１２ａ〜１１２ｎの出力は、各カメラの２Ｄ画像座標から実空間の３Ｄ座標に関節の位置をマッピングするために組み合わされる。ｊが１〜ｘに等しい被写体（ｊ）毎の関節データ構造８００は、各画像について実空間及び２Ｄ空間における被写体（ｊ）の関節の位置を識別する。被写体データ構造８００の幾つかの詳細を図８に示す。
【手続補正書】
【提出日】令和3年7月9日(2021.7.9)
【手続補正１】
【補正対象書類名】特許請求の範囲
【補正対象項目名】全文
【補正方法】変更
【補正の内容】
【特許請求の範囲】
【請求項１】
実空間のエリア内の多関節被写体を追跡するシステムであって、
複数のカメラ内のカメラが前記実空間内の対応する視野のそれぞれの画像シーケンスを生成し、前記複数のカメラにおいて各カメラの前記視野が少なくとも１つの他のカメラの前記視野と重なる、前記複数のカメラと、
前記複数のカメラと結合された処理システムと、を備えてなり、
前記処理システムが、
前記複数のカメラから前記画像シーケンスを受信し、画像を処理し、関節タイプ、特定の画像の時間、及び前記特定の画像内の要素の座標によって、前記特定の画像の要素を分類する、前記特定の画像に対応する関節データ構造の配列を生成する画像認識エンジン、
重なる視野を有するカメラからの画像シーケンス内の画像に対応する前記関節データ構造の配列を受信し、様々な画像シーケンス内の画像に対応する前記関節データ構造の配列内の前記要素の前記座標を、実空間内の座標を有する候補関節に変換するように構成された追跡エンジン、及び、
実空間内の座標を有する候補関節のセットを前記実空間内の多関節被写体として識別するロジック、を備えることを特徴とするシステム。
【請求項２】
画像認識エンジンが、画像を処理して、
前記画像の要素に対する信頼度配列を生成し、
画像の特定の要素についての信頼度配列は、前記特定の要素についての複数の関節タイプについての信頼値を含ものであり、
更に、前記信頼度配列に基づいて、前記特定の要素の前記関節データ構造の関節タイプを選択する請求項１に記載のシステム。
【請求項３】
候補関節のセットを識別する前記ロジックが、候補関節のセットを多関節被写体として識別するために、実空間における被写体の関節間の物理的関係に基づくヒューリスティック関数を備える請求項１または２に記載のシステム。
【請求項４】
多関節被写体として識別された前記候補関節のセットを記憶するロジックを備え、
候補関節のセットを識別する前記ロジックが、特定の時間に撮影された画像において識別された候補関節が先行する画像において多関節被写体として識別された前記候補関節のセットのうちの１つのメンバーに対応するかどうかを判定するロジックを含む請求項１〜３のいずれか１項に記載のシステム。
【請求項５】
実空間のエリア内の多関節被写体を追跡する方法であって、
各カメラの視野が少なくとも１つの他のカメラの視野と重なり合う複数のカメラを使用して、前記実空間内の対応する視野のそれぞれの画像シーケンスを生成すること、
関節タイプ、特定の画像の時間、及び前記特定の画像内の要素の座標によって、前記特定の画像の要素を分類する、前記特定の画像に対応する関節データ構造の配列を生成するために、前記画像シーケンス内の画像を処理すること、
様々な画像シーケンス内の画像に対応する前記関節データ構造の配列内の前記要素の前記座標を、前記実空間内の座標を有する候補関節に変換すること、及び、
実空間内の座標を有する候補関節のセットを前記実空間内の多関節被写体として識別すること、を備えることを特徴とする方法。
【請求項６】
前記画像を処理することが、畳み込みニューラル・ネットワークを使用することを含む請求項５に記載の方法。
【請求項７】
前記画像を処理することが、
前記画像の要素に対する信頼度配列を生成すること、
画像の特定の要素についての信頼度配列は、前記特定の要素についての複数の関節タイプについての信頼値を含むものであり、
更に、前記信頼度配列に基づいて、前記特定の要素の前記関節データ構造の関節タイプを選択すること、を含む請求項５または６に記載の方法。
【請求項８】
候補関節のセットを識別することが、候補関節のセットを多関節被写体として識別するために、実空間における被写体の関節間の物理的関係に基づいてヒューリスティック関数を適用することを含む請求項５〜７のいずれか１項に記載の方法。
【請求項９】
多関節被写体として識別された前記候補関節のセットを記憶することを含み、
候補関節のセットを識別することが、特定の時間に撮影された画像において識別された候補関節が先行する画像において多関節被写体として識別された前記候補関節のセットのうちの１つのメンバーに対応するかどうかを判定することを含む請求項５〜８のいずれか１項に記載の方法。
【請求項１０】
前記画像シーケンスが同期されている請求項５〜９のいずれか１項に記載の方法。
【請求項１１】
前記複数のカメラが、前記実空間内のエリアのそれぞれの部分を包含する視野を有し、その上に配置されたカメラを備え、
多関節被写体として識別された候補関節のセットのメンバーの実空間内の座標は、前記多関節被写体の前記エリア内の位置を識別する請求項５〜１０のいずれか１項に記載の方法。
【請求項１２】
前記実空間のエリア内の複数の多関節被写体の位置を追跡することを含む請求項５〜１１のいずれか１項に記載の方法。
【請求項１３】
前記複数の多関節被写体内の多関節被写体が前記実空間のエリアを離れるときを特定することを含む請求項１２に記載の方法。
【請求項１４】
特定の多関節被写体として識別された候補関節のセットのメンバーである複数の候補関節の前記実空間のエリア内の座標を追跡することを含む請求項５〜１３のいずれか１項に記載の方法。
【請求項１５】
非一時的なコンピュータ可読記憶媒体であって、
請求項５〜１４のいずれか１項に係る実空間のエリア内の多関節被写体を追跡する方法のためのコンピュータ命令が格納されていることを特徴とする非一時的なコンピュータ可読記憶媒体。
【手続補正２】
【補正対象書類名】明細書
【補正対象項目名】０２２５
【補正方法】変更
【補正の内容】
【０２２５】
被写体識別サブシステム２６０２（第１の画像プロセッサとも呼ばれる）は、複数のカメラ１１４から対応する画像シーケンスを受信する被写体画像認識エンジンを含む。被写体画像認識エンジンは、画像を処理して、対応する画像シーケンス内の画像に表される被写体を識別する。一実施形態では、被写体画像認識エンジンが関節ＣＮＮ１１２ａ〜１１２ｎと呼ばれる畳み込みニューラル・ネットワーク（ＣＮＮ）として実装される。重なり合う視野を有するカメラに対応する関節ＣＮＮ１１２ａ〜１１２ｎの出力は、各カメラの２Ｄ画像座標から実空間の３Ｄ座標に関節の位置をマッピングするために組み合わされる。ｊが１〜ｘに等しい被写体（ｊ）毎の関節データ構造８００は、各画像について実空間及び２Ｄ空間における被写体（ｊ）の関節の位置を識別する。被写体データ構造８００の幾つかの詳細を図８に示す。
【手続補正書】
【提出日】令和3年7月16日(2021.7.16)
【手続補正１】
【補正対象書類名】特許請求の範囲
【補正対象項目名】全文
【補正方法】変更
【補正の内容】
【特許請求の範囲】
【請求項１】
グラフェン、還元型酸化グラフェン、酸化グラフェン、またはこれらの組合せを含むカプセルと、
前記カプセル内に配置された活物質粒子であり、各粒子が、
電気化学的活物質、および
前記電気化学的活物質を取り囲む緩衝層
を含み、前記緩衝層と前記電気化学的活物質が異なる材料を含む、活物質粒子と
を含むアノード材料。
【請求項２】
前記電気化学的活物質が、結晶質ケイ素を含む、請求項１に記載のアノード材料。
【請求項３】
前記緩衝層が、Ｓｉ２Ｏｘ（式中、０＜ｘ＜０．８である）を含む、請求項２に記載のアノード材料。
【請求項４】
前記緩衝層が、酸化ケイ素、ケイ酸リチウム、炭素、またはこれらの組合せを含む、請求項２に記載のアノード材料。
【請求項５】
前記緩衝層が、Ｌｉ２Ｓｉ２Ｏ５、Ｌｉ２ＳｉＯ３、Ｌｉ４ＳｉＯ４、またはこれらの組合せを含む、請求項２に記載のアノード材料。
【請求項６】
前記カプセルが、約０．５μｍから約１０μｍに及ぶ平均粒度を有し、
前記粒子が、約３０ｎｍから約５００ｎｍに及ぶ平均粒度を有する、
請求項１に記載のアノード材料。
【請求項７】
前記緩衝層が、約１ｎｍから約５０ｎｍに及ぶ平均厚さを有する、請求項１に記載のアノード材料。
【請求項８】
請求項１〜７のいずれか一項に記載のアノード材料と、
結合剤と
を含む、アノード。
【請求項９】
前記結合剤が、ポリテトラフルオロエチレン（ＰＴＦＥ）、ポリフッ化ビニリデン（ＰＶＤＦ）、ポリ（アクリル）酸、ポリエチレンテトラフルオロエチレン（ＥＴＦＥ）、ポリアミド、およびポリイミド、ポリエチレン（ＵＨＭＷ）、スチレン−ブタジエンゴム、セルロース、ポリアクリレートゴム、またはこれらの混合物を含み、
前記電極が、式
【数１】
2020530194.tif 000001
（式中、測定密度は、乾燥した電極の質量をその体積で割ることによって算出され、理論密度は、１００パーセント稠密である電気化学的活物質の密度である）
によって測定されたときに約４０パーセントから約６０パーセントに及ぶ内部気孔率を有する、
請求項８に記載のアノード。
【請求項１０】
請求項１に記載のアノード材料を形成する方法であって、
結晶質ケイ素粒子を、不活性雰囲気中で、約７００℃から約９００℃に及ぶ第１の温度で加熱するステップと、
前記粒子を、酸化雰囲気中、前記第１の温度で第１の期間にわたり加熱して、結晶質ケイ素電気化学的活物質を取り囲む酸化ケイ素層をそれぞれが含む酸化粒子を形成するステップと、
前記酸化粒子を不活性雰囲気中で冷却するステップと
を含む、方法。
【請求項１１】
前記第１の期間が、約１０分から約４０分に及び、
前記粒子が管状炉内で加熱される、
請求項１０に記載の方法。
【請求項１２】
前記酸化粒子、リチウム塩、および溶媒を混合して、混合物を形成するステップと、
前記混合物を乾燥させるステップと、
前記乾燥した混合物を、約６００℃から約７００℃に及ぶ温度で、不活性雰囲気中で第２の期間にわたり加熱して、結晶質ケイ素電気化学的活物質を取り囲むケイ酸リチウムを含む緩衝層をそれぞれが含む活物質粒子を形成するステップと
をさらに含む、請求項１０に記載の方法。
【請求項１３】
前記リチウム塩が、酢酸リチウム脱水物、ＬｉＯ２、ＬｉＳ、ＬｉＰＦ６、ビス（オキサラト）ボレート（ＬｉＢＯＢ）、オキサリルジフルオロボレート（ＬｉＯＤＦＢ、フルオロアルキルホスフェート（ＬｉＦＡＰ）、またはこれらの組合せを含み、
前記混合物が、約１：０．５から約１：０．７５に及ぶ、酸化粒子とリチウム塩との重量比を含み、
前記混合物が、前記混合物の全重量に対して約５ｗｔ％から約１５ｗｔ％に及ぶ固形分含量を含む、
請求項１２に記載の方法。
【請求項１４】
前記リチウム塩が、酢酸リチウム脱水物を含み、
前記緩衝層がさらに炭素を含む、
請求項１２に記載の方法。
【請求項１５】
前記活物質粒子を、グラフェン、還元型酸化グラフェン、酸化グラフェン、またはこれらの組合せを含むカプセルに包封するのに毛管圧縮を使用することをさらに含む、請求項１２に記載の方法。
【手続補正書】
【提出日】令和2年12月16日(2020.12.16)
【手続補正１】
【補正対象書類名】特許請求の範囲
【補正対象項目名】請求項１７
【補正方法】変更
【補正の内容】
【請求項１７】
サーバ上で実行されると、請求項１〜１４の何れか１項に記載の方法を前記サーバに実施させる命令を含むコンピュータ・プログラム。
【手続補正書】
【提出日】令和3年8月2日(2021.8.2)
【手続補正１】
【補正対象書類名】特許請求の範囲
【補正対象項目名】全文
【補正方法】変更
【補正の内容】
【特許請求の範囲】
【請求項１】
再構成可能なキャッシュアーキテクチャ（３００）におけるキャッシュコヒーレンシの方法であって、
メモリアクセス命令を受信するステップ（Ｓ５１０）であって、前記メモリアクセス命令が、アクセスするメモリ（２２０）のアドレスを少なくとも含む、ステップと、
前記メモリアクセス命令に基づいて少なくとも１つのアクセスパラメータを求めるステップ（Ｓ５２０）と、
前記メモリアクセス命令に応じるための対象のキャッシュビンを、前記少なくとも１つのアクセスパラメータおよび前記アドレスに部分的に基づいて決定するステップ（Ｓ５３０）と、
を含み、
前記再構成可能なキャッシュアーキテクチャは、複数の個別の物理キャッシュノード（２２５−１…２２５−ｎ）に分配されており、実質的に独立して動作し、前記メモリに電気的に結合されており、各キャッシュノードは、複数のキャッシュビン（３１０−１…３１０−８）にパーティション化でき、前記対象のキャッシュビンは、前記複数のキャッシュビンの１つであり、前記複数のキャッシュノードの少なくとも２つ以内の前記複数のキャッシュビンのパーティショニングは、再構成可能であり、
前記メモリアクセス命令は、
処理コア、および前記メモリの共有部分で構成されるグループから選択される、物理エンティティと、
プロセスとスレッドから構成されるグループから選択される、論理エンティティと
のいずれか一方の単一の識別情報を含み、
前記少なくとも１つのアクセスパラメータが、プロセスＩＤ、処理コアＩＤ、スレッドＩＤ、またはキャッシュビット、の少なくとも１つを含み、
前記少なくとも１つのアクセスパラメータを決定することが、さらに、
前記メモリアクセス命令が論理エンティティに関連して決定されるように、前記アクセスパラメータを論理エンティティ識別情報として設定し、
前記メモリアクセス命令が物理エンティティに関連して決定されるように、前記アクセスパラメータを物理エンティティ識別情報として設定する、
方法。
【請求項２】
前記対象のキャッシュビンが、少なくとも１つのキャッシュノードの少なくとも一部分である、請求項１に記載の方法。
【請求項３】
各キャッシュビンが、前記複数のキャッシュノードのうちのそれぞれのキャッシュノードに含まれている、請求項１に記載の方法。
【請求項４】
各キャッシュノードを、前記キャッシュノードのそれぞれの複数のキャッシュビンの使用率に基づいて、少なくとも２つのキャッシュビンに動的にパーティション化するステップ、
をさらに含む、請求項１に記載の方法。
【請求項５】
最初に各キャッシュノードを所定の数のキャッシュビン（３１０−１、３１０−２、３１０−３、３１０−４）にパーティション化するステップと、
各キャッシュビンの使用に関する統計情報を集めるステップと、
前記集められた統計情報に基づいて、各キャッシュノードの前記最初のパーティショニング（３１０−１…３１０−８）を再構成するステップと、
をさらに含む、請求項４に記載の方法。
【請求項６】
各キャッシュノードの前記パーティショニングを再構成する前記ステップが、複数の実行の反復の実行の各反復の後に行われる、請求項５に記載の方法。
【請求項７】
前記キャッシュビン（３１０−８）の少なくとも１つに、より多くのキャッシュ記憶域を動的に割り当てるステップ、
をさらに含む、請求項５に記載の方法。
【請求項８】
少なくとも１つのキャッシュ属性を求めるステップであって、前記少なくとも１つのキャッシュ属性が、特定の値をキャッシュしない、特定の値を常にキャッシュする、および特定の値を常にチェックする、の少なくとも１つを含む、ステップ、
をさらに含む、請求項１に記載の方法。
【請求項９】
前記メモリアクセス命令に応じるための前記対象のキャッシュビンを決定する前記ステップが、
前記少なくとも１つのアクセスパラメータおよび前記アドレスを通じて確定関数を計算するステップ、
をさらに含む、請求項１に記載の方法。
【請求項１０】
前記再構成可能なキャッシュアーキテクチャが、処理回路（２１０）によるプログラムの実行を加速させるために利用される、請求項１に記載の方法。
【請求項１１】
前記処理回路が、
中央処理装置、フィールドプログラマブルゲートアレイ、グラフィック処理装置、粗粒度再構成可能アーキテクチャ、特定用途向け集積回路、マルチコアプロセッサ、および量子コンピュータ、
のいずれか１つである、
請求項１０に記載の方法。
【請求項１２】
命令を格納している非一時的なコンピュータ可読媒体であって、前記命令が、少なくとも１つの処理回路に実行されたとときに、前記少なくとも１つの処理回路に請求項１に記載の前記方法を実行させる、
非一時的なコンピュータ可読媒体。
【請求項１３】
ソフトウェアプログラムを実行するシステムであって、
処理回路と、
前記処理回路に接続された再構成可能なキャッシュと、
を備え、
前記再構成可能なキャッシュは、
メモリと、
複数の個別の物理キャッシュノードであって、実質的に独立して動作し、前記メモリに結合されており、各キャッシュノードが複数のキャッシュビンにパーティション化されており、前記複数のキャッシュビンのうちのいずれかのキャッシュビンへのアクセスがアクセスパラメータに基づいて決定される、前記複数のキャッシュノードと、
を含み、
前記複数のキャッシュノードの少なくとも２つ内の前記複数のキャッシュビンのパーティショニングは、再構成可能であり、
前記処理回路は、再構成可能なキャッシュアーキテクチャ中のキャッシュコヒーレンシにために適合され、
前記処理回路は、
メモリアクセス命令を受信し、前記メモリアクセス命令は、アクセスされるメモリの少なくともアドレスを含み、
前記メモリアクセス命令に基づいて、少なくとも１つのアクセスパラメータを決定し、
前記少なくとも１つのアクセスパラメータと前記アドレスとの一部に基づいて、前記メモリアクセス命令に応じるための対象キャッシュビンを決定し、
前記メモリアクセス命令は、
処理コア、および前記メモリの共有部分で構成されるグループから選択される、物理エンティティと、
プロセスおよびスレッドから構成されるグループから選択される、論理エンティティと
のいずれか一方の単一の識別情報を含み、
前記少なくとも１つのアクセスパラメータが、プロセスＩＤ、処理コアＩＤ、スレッドＩＤ、およびキャッシュビット、の少なくとも１つを含み、
前記少なくとも１つのアクセスパラメータを決定することが、さらに、
前記メモリアクセス命令が論理エンティティに関連して決定されるように、前記アクセスパラメータを論理エンティティ識別情報として設定し、
前記メモリアクセス命令が物理エンティティに関連して決定されるように、前記アクセスパラメータを物理エンティティ識別情報として設定する、
再構成可能なキャッシュアーキテクチャ。
【手続補正書】
【提出日】令和3年7月19日(2021.7.19)
【手続補正１】
【補正対象書類名】特許請求の範囲
【補正対象項目名】全文
【補正方法】変更
【補正の内容】
【特許請求の範囲】
【請求項１】
磁気共鳴画像法（ＭＲＩ）によって評価される、哺乳類の関節における骨髄浮腫病変の治療における使用のためのポリ硫酸ペントサンまたは許容されるその塩であって、
前記哺乳動物が、該関節において変形性関節症に罹患しているものであり、
数値的評価スケール（ＮＲＳ）によって判定される通り、治療後の前記関節における疼痛が軽減され、
Ｌｙｓｈｏｌｍ膝関節スコアによって判定される通り、前記関節の機能が、治療後に改善される、
前記使用のためのポリ硫酸ペントサンまたは許容されるその塩。
【請求項２】
前記変形性関節症が、足首、股関節、膝関節、肩関節、脊椎（脊椎症）、および手首からなる群から選択される接合している関節にある、請求項１に記載の使用のためのポリ硫酸ペントサンまたは許容されるその塩。
【請求項３】
前記ポリ硫酸ペントサン（ＰＰＳ）が、ポリ硫酸ペントサンのナトリウム塩（ＮａＰＰＳ）、ポリ硫酸ペントサンのマグネシウム塩（ＭｇＰＰＳ）、ポリ硫酸ペントサンのカルシウム塩（ＣａＰＰＳ）、およびポリ硫酸ペントサンの亜鉛塩（ＺｎＰＰＳ）からなる群から選択される、請求項１または２に記載の使用のためのポリ硫酸ペントサンまたは許容されるその塩。
【請求項４】
前記ポリ硫酸ペントサン（ＰＰＳ）が、ポリ硫酸ペントサンナトリウム（ＮａＰＰＳ）である、請求項３に記載の使用のためのポリ硫酸ペントサンまたは許容されるその塩。
【請求項５】
治療が、筋肉内（ＩＭ）もしくは皮下（ＳＣ）経路による注射投与、静脈内（ＩＶ）投与、関節内（ＩＡ）投与、関節周囲投与、局所的投与、坐剤を介した投与、または経口投与によるものである、請求項１〜４のいずれか一項に記載の使用のためのポリ硫酸ペントサンまたは許容されるその塩。
【請求項６】
前記治療が、ポリ硫酸化多糖または許容されるその塩を、１用量あたり約１〜２ｍｇ／哺乳動物１ｋｇの有効量または固定用量として、約２５ｍｇ〜３００ｍｇの間の有効量で、哺乳動物に投与することによるものである、請求項１〜５のいずれか一項に記載の使用のためのポリ硫酸ペントサンまたは許容されるその塩。
【請求項７】
前記治療が、ポリ硫酸化多糖または許容されるその塩を、１用量あたり約１〜２ｍｇ／哺乳動物１ｋｇの有効量または固定用量として、約１５０ｍｇの有効量で、哺乳動物に投与することによるものである、請求項１〜６のいずれか一項に記載の使用のためのポリ硫酸ペントサンまたは許容されるその塩。
【請求項８】
投与が皮下（ＳＣ）注射によるものであり、該ＳＣ注射が緩徐なＳＣ注射である、請求項５〜７のいずれか一項に記載の使用のためのポリ硫酸ペントサンまたは許容されるその塩。
【請求項９】
ヒトへの投与が、１日１回、週２回、または週３回の治療レジメンでの投与によるものである、請求項５〜８のいずれか一項に記載の使用のためのポリ硫酸ペントサンまたは許容されるその塩。
【請求項１０】
ヒトへの投与が、投薬の間隔が、最短３日間であり、最長４日間である週２回の治療レジメンでの投与によるものである、請求項９に記載の使用のためのポリ硫酸ペントサンまたは許容されるその塩。
【請求項１１】
ヒトへの投与が、６週間にわたる週２回の治療レジメンでの投与によるものである、請求項１０に記載の使用のためのポリ硫酸ペントサンまたは許容されるその塩。
【請求項１２】
前記治療レジメンで投与されるポリ硫酸化多糖の合計用量が、約２００〜４０００ｍｇである、請求項５〜１１のいずれか一項に記載の使用のためのポリ硫酸ペントサンまたは許容されるその塩。
【請求項１３】
磁気共鳴画像法によって評価される通り、骨髄浮腫病変の存在が縮小または消散される、請求項１〜１２のいずれか一項に記載の使用のためのポリ硫酸ペントサンまたは許容されるその塩。